(57)【要約】【課題】プランジャのストロークをより正確に測定することができるエレベータブレーキの横引きタイププランジャのストローク測定装置を得る。【解決手段】カバー９と、このカバー９に対して水平方向に移動するプランジャ１０とを備えたエレベータブレーキのプランジャ１０のストロークを測定するエレベータブレーキ８の横引きタイププランジャのストローク測定装置１であって、まっすぐに延びたロッド２を有し、ロッド２の延びる方向とプランジャ１０の移動方向とが同一方向となるように配置され、プランジャ１０に取り付けられる移動体４と、ロッド２に設けられ、移動体４が移動するときにカバー９に押圧されてロッド２に対してスライドする外ワッシャ６とを備えている。【選択図】図３
2012030929.tif 000002
【特許請求の範囲】
【請求項１】
固定部材と、前記固定部材に対して水平方向に移動するプランジャとを備えたエレベータブレーキの前記プランジャのストロークを測定するエレベータブレーキの横引きタイププランジャのストローク測定装置であって、
まっすぐに延びた延部を有し、前記延部の延びる方向と前記プランジャの移動方向とが同一方向となるように配置され、前記プランジャに取り付けられる移動体と、
前記延部に設けられ、前記移動体が移動するときに前記固定部材に押圧されて前記延部に対してスライドするスライド体とを備えたことを特徴とするエレベータブレーキの横引きタイププランジャのストローク測定装置。
【請求項２】
前記移動体に設けられ、前記移動体が移動するときに前記移動体とともに移動する連動体をさらに備えたことを特徴とする請求項１に記載のエレベータブレーキの横引きタイププランジャのストローク測定装置。
【請求項３】
前記スライド体がスライドする前記延部の部分に設けられたメモリをさらに備えたことを特徴とする請求項１または請求項２に記載のエレベータブレーキの横引きタイププランジャのストローク測定装置。
【発明の詳細な説明】
【技術分野】
【０００１】
この発明は、水平方向に移動するプランジャのストロークを測定するエレベータブレーキの横引きタイププランジャのストローク測定装置に関する。
【背景技術】
【０００２】
従来、円筒形状の電磁装置と、電磁装置の貫通孔に挿入され水平方向に移動するプランジャと、プランジャの移動に伴って作動するブレーキレバーとを備えたエレベータブレーキが知られている（例えば、特許文献１参照）。
【先行技術文献】
【特許文献】
【０００３】
【特許文献１】特開平８−１６６０３２号公報
【発明の概要】
【発明が解決しようとする課題】
【０００４】
プランジャのストロークを測定するときには、作業者は、手動でスケールをプランジャの軸線に沿って配置し、電磁装置を駆動させることによりプランジャを移動させて、プランジャの移動前後におけるプランジャのそれぞれの位置を測定する。しかしながら、スケールを手動でプランジャの軸線に沿って配置するので、スケールがプランジャの軸線に対して傾斜しやすくなってしまう。その結果、測定されたストロークに誤差が発生しやすくなってしまうという問題点があった。
【０００５】
この発明は、プランジャのストロークをより正確に測定することができるエレベータブレーキの横引きタイププランジャのストローク測定装置を提供するものである。
【課題を解決するための手段】
【０００６】
この発明に係るエレベータブレーキの横引きタイププランジャのストローク測定装置は、固定部材と、前記固定部材に対して水平方向に移動するプランジャとを備えたエレベータブレーキの前記プランジャのストロークを測定するエレベータブレーキの横引きタイププランジャのストローク測定装置であって、まっすぐに延びた延部を有し、前記延部の延びる方向と前記プランジャの移動方向とが同一方向となるように配置され、前記プランジャに取り付けられる移動体と、前記延部に設けられ、前記移動体が移動するときに前記固定部材に押圧されて前記延部に対してスライドするスライド体とを備えている。
【発明の効果】
【０００７】
この発明に係るエレベータブレーキの横引きタイププランジャのストローク測定装置によれば、まっすぐに延びた延部を有し、延部の延びる方向とプランジャの移動方向とが同一方向となるように配置され、プランジャに取り付けられる移動体と、延部に設けられ、移動体が移動するときに固定部材に押圧されて延部に対してスライドするスライド体とを備えているので、プランジャが移動するときに、連動して移動体が移動して、スライド体が延部に対してスライドする。その結果、スライド体のスライド量を測定することにより、プランジャのストロークをより正確に測定することができる。
【図面の簡単な説明】
【０００８】
【図１】この発明の実施の形態１に係るストローク測定装置を示す側面図である。
【図２】図１のキャップを示す側面図である。
【図３】図１のストローク測定装置が取り付けられるエレベータブレーキを示す側断面図である。
【図４】図３のエレベータブレーキの側面図である。
【図５】図３のエレベータブレーキに図１のストローク測定装置が取り付けられた状態を示す側断面図である。
【図６】図５のキャップとねじ溝部とを離れさせた状態のストローク測定装置およびエレベータブレーキの要部を示す拡大図である。
【図７】図５のエレベータブレーキを駆動させた状態を示すストローク測定装置およびエレベータブレーキを示す側断面図である。
【発明を実施するための形態】
【０００９】
実施の形態１．
図１はこの発明の実施の形態１に係るストローク測定装置（エレベータブレーキの横引きタイププランジャのストローク測定装置）１を示す側面図である。図において、ストローク測定装置１は、まっすぐに延びた円柱形状のロッド（延部）２およびこのロッド２の端部に設けられたゴム製のキャップ３を有した移動体４と、貫通孔が形成された円板形状の内ワッシャ（連動体）５と、貫通孔が形成され直径が内ワッシャ５の直径よりも大きい円板形状の外ワッシャ（スライド体）６と、ロッド２に設けられたメモリ７とを備えている。
【００１０】
外ワッシャ６は、外ワッシャ６の貫通孔にロッド２が挿入されるように、ロッド２に取り付けられている。外ワッシャ６の貫通孔の直径は、ロッド２の直径とほぼ同一寸法となっている。外ワッシャ６は、ロッド２に対してスライド可能となっている。
【００１１】
内ワッシャ５は、内ワッシャ５の貫通孔にロッド２が挿入されるように、ロッド２に取り付けられている。内ワッシャ５は、外ワッシャ６とキャップ３との間に配置されている。内ワッシャ５の貫通孔の直径は、ロッド２の直径とほぼ同一寸法となっている。内ワッシャ５は、移動体４が移動するときに、移動体４とともに移動するようになっている。
【００１２】
メモリ７は、外ワッシャ６がスライドするロッド２の部分に配置されている。
【００１３】
図２は図１のキャップ３を示す側面図である。図において、キャップ３は、円柱形状に形成されている。キャップ３は、キャップ３の軸線がロッド２の軸線と同一直線上に位置するように配置されている。軸線方向についてのキャップ３の両端部のうち、内ワッシャ５から離れた方のキャップ３の端部には、凹部３ａが形成されている。凹部３ａは、内ワッシャ５の軸線方向から視たときに、円形状となっている。
【００１４】
図３は図１のストローク測定装置１が取り付けられるエレベータブレーキ８を示す側断面図、図４は図３のエレベータブレーキ８の側面図である。図において、エレベータブレーキ８は、箱形状のカバー（固定部材）９と、カバー９の内側に配置されたプランジャ１０とを備えている。プランジャ１０は、カバー９に対して水平方向に移動可能となっている。つまり、プランジャ１０は、横引きタイププランジャとなっている。
【００１５】
プランジャ１０は、軸線がプランジャ１０の移動方向に延びた円柱形状のプランジャ本体１１と、プランジャ本体１１からプランジャ本体１１の軸線に沿って延びた連結部１２と、連結部１２の先端部に設けられプランジャ本体１１の軸線に沿って延びたねじ溝部１３とを有している。ねじ溝部１３の周囲には、ねじ溝が形成されている。ねじ溝部１３の直径は、キャップ３の凹部３ａの直径と同一寸法となっている。
【００１６】
ねじ溝部１３の先端部に対向するカバー９の部分には、貫通孔９ａが形成されている。貫通孔９ａの直径は、ねじ溝部１３の直径よりも大きく、プランジャ本体１１の直径よりも小さくなっている。また、貫通孔９ａの直径は、内ワッシャ５（図１）の直径よりも大きく、外ワッシャ６（図１）の直径よりも小さくなっている。
【００１７】
次に、ストローク測定装置１を用いてエレベータブレーキ８のプランジャ１０のストロークを測定する方法について説明する。図５は図３のエレベータブレーキ８に図１のストローク測定装置１が取り付けられた状態を示す側断面図、図６は図５のキャップ３とねじ溝部１３とを離れさせた状態のストローク測定装置１およびエレベータブレーキ８の要部を示す拡大図である。図において、まず、ストローク測定装置１をカバー９の貫通孔９ａに挿入する。
【００１８】
その後、キャップ３の凹部３ａにねじ溝部１３が挿入されるように、キャップ３をねじ溝部１３に取り付ける。これにより、移動体４は、ロッド２の軸線とプランジャ１０の軸線とが同一直線上に位置するように配置される。キャップ３は、キャップ３がゴム製であるので、ねじ溝部１３に容易に取り付けられる。ロッド２は、キャップ３がねじ溝部１３に取り付けられることにより、プランジャ１０とともに移動する。
【００１９】
その後、内ワッシャ５と外ワッシャ６とを重ねた状態で、外ワッシャ６をキャップ３に向かって移動させる。これにより、内ワッシャ５は、外ワッシャ６に押圧されてキャップ３に向かって移動する。貫通孔９ａの直径が内ワッシャ５の直径よりも大きく、貫通孔９ａの直径が外ワッシャ６の直径よりも小さいので、外ワッシャ６は、外ワッシャ６がカバー９に当たるまで移動する。
【００２０】
図７は図５のエレベータブレーキ８を駆動させた状態を示すストローク測定装置１およびエレベータブレーキ８を示す側断面図である。その後、エレベータを駆動させることにより、プランジャ１０が電磁装置（図示せず）により吸引される。これにより、キャップ３、ロッド２および内ワッシャ５が、プランジャ１０とともに移動する。このとき、外ワッシャ６は、カバー９に押圧されてロッド２に対してスライドする。作業者がメモリ７を読み取ることにより、外ワッシャ６のスライド量が測定される。プランジャ１０のストロークは、外ワッシャ６のスライド量と同一であるので、同時に、プランジャ１０のストロークが測定される。
【００２１】
以上説明したように、この発明の実施の形態１に係るストローク測定装置１によれば、
まっすぐに延びたロッド２を有し、ロッド２の延びる方向とプランジャ１０の移動方向とが同一方向となるように配置され、プランジャ１０に取り付けられる移動体４と、ロッド２に設けられ、移動体４が移動するときにカバー９に押圧されてロッド２に対してスライドする外ワッシャ６とを備えているので、プランジャ１０が移動するときに、連動して移動体４が移動して、外ワッシャ６がロッド２に対してスライドする。その結果、外ワッシャ６のスライド量を測定することにより、プランジャ１０のストロークをより正確に測定することができる。また、移動体４がプランジャ１０に取り付けられるので、ストローク測定装置１を安定してエレベータブレーキ８に取り付けることができる。その結果、プランジャ１０のストロークを測定する際に、ストローク測定装置１がエレベータブレーキ８の活線部分に誤って触れてしまうことを防止することができる。また、エレベータブレーキ８を分解したり、エレベータを停止させたりすることなく、プランジャ１０のストロークを測定することができるので、作業効率を向上させることができる。その結果、一人の作業者によりプランジャ１０のストロークの測定を行うことができ、コストを低減させることができる。
【００２２】
また、ストローク測定装置１は、移動体４に設けられ移動体４が移動するときに移動体４とともに移動する内ワッシャ５をさらに備えているので、内ワッシャ５と外ワッシャ６との間の寸法を測定することにより、外ワッシャ６のスライド量を容易に測定することができる。その結果、プランジャ１０のストロークをより容易に測定することができる。
【００２３】
また、ストローク測定装置１は、外ワッシャ６がスライドするロッド２の部分に設けられたメモリ７をさらに備えているので、外ワッシャ６のスライド量を容易に測定することができる。その結果、プランジャ１０のストロークをより容易に測定することができる。
【００２４】
なお、上記実施の形態１では、内ワッシャ５を備えたストローク測定装置１について説明したが、内ワッシャ５を備えなくてもよい。この場合、作業者は、プランジャ１０の移動前後における外ワッシャ６のそれぞれの位置を測定することにより、外ワッシャ６のスライド量を測定する。
【００２５】
また、上記実施の形態１では、メモリ７を備えたストローク測定装置１について説明したが、メモリ７を備えなくてもよい。この場合、スケールを用いて外ワッシャ６のスライド量を測定する。
【００２６】
また、上記実施の形態１では、外ワッシャ６がカバー９に押圧されることにより外ワッシャ６がロッド２に対してスライドする構成について説明したが、外ワッシャ６が、カバー９に限らず、エレベータブレーキ８におけるその他の部材に押圧されることにより外ワッシャ６がロッド２に対してスライドする構成であってもよい。
【００２７】
また、上記実施の形態１では、ロッド２の軸線とプランジャ１０の軸線とが同一直線上に位置するように移動体４が配置されるストローク測定装置１について説明したが、ロッド２の延びる方向とプランジャ１０の移動方向とが同一方向となるように移動体４が配置されるストローク測定装置１であればよい。
【符号の説明】
【００２８】
１  ストローク測定装置（エレベータブレーキの横引きタイププランジャのストローク測定装置）、２  ロッド（延部）、３  キャップ、３ａ  凹部、４  移動体、５  内ワッシャ（連動体）、６  外ワッシャ（スライド体）、７  メモリ、８  エレベータブレーキ、９  カバー、９ａ  貫通孔、１０  プランジャ、１１  プランジャ本体、１２  連結部、１３  ねじ溝部。
【図１】
2012030929.tif 000003
【図２】
2012030929.tif 000004
【図３】
2012030929.tif 000005
【図４】
2012030929.tif 000006
【図５】
2012030929.tif 000007
【図６】
2012030929.tif 000008
【図７】
2012030929.tif 000009